【手続補正書】
【提出日】平成16年4月2日(2004.4.2)
【手続補正１】
【補正対象書類名】明細書
【補正対象項目名】特許請求の範囲
【補正方法】変更
【補正の内容】
【特許請求の範囲】
【請求項１】  シートベルトリトラクタのウェビングリールのウェビングリールシャフトと協働し、起動時に対応するシートベルト用ウェビングに予張力を加える、プリテンショナであって、
長方形の第２通路と体積交差する、円筒形の第１通路を収容するハウジングであって、前記通路が互いに直交して形成され、前記ウェビングリールシャフトが、前記第１通路の中に延びており、前記第２通路が、第１端部と第２端部を有し、第２通路が第１通路の直径を横断かつ通過して延びている前記ハウジングと、
前記ウェビングリールシャフトに固定され、かつ第１通路内に収容された円筒形ハブであって、前記ウェビングリールシャフトが前記ハブを貫通して軸方向に延びている前記円筒形ハブと、
前記ハブと一体であると共に、前記ハブの回りに円周方向に間隔をあけて配置された複数の突起と、
前記ハウジングに固定された第１端部と、前記第１端部から前記第２通路を横断して延びる平坦部分と、前記ハブのまわりの一部分に配設された第２の平坦部分と、プリテンショナの起動前にはハブがストラップと無関係に回転できるように、前記第２平坦部分から自由に延びる第２端部とを備える穿孔ストラップと、
前記第２通路の第１端部に位置し、プリテンショナ起動時に前記ストラップに予張力を加えるためのアクチュエータと、
点火可能であって、プリテンショナを起動させ、アクチュエータを前記第２通路に放出するのに十分な力を発生する、ガス発生混合物と、
前記ハウジング内にあり、前記ガス発生混合物に点火するために、前記ガス発生混合物と点火可能に接続する、イニシエータとを備え、
前記ガス発生剤の点火によって、ストラップに張力が加わり、穿孔ストラップと複数の突起とが嵌合して、ハブ、ウェビングリールシャフト、ウェビングリールが略同時に前進回転することによって、リールを巻回し、リール上のシートベルトウェビングに張力を加える、前記プリテンショナ。
【請求項２】  前記アクチュエータが単体円筒形ピストンである、請求項１に記載のプリテンショナ。
【請求項３】  前記アクチュエータが、セグメント化されたベローズである、請求項１に記載のプリテンショナ。
【請求項４】  前記アクチュエータが、点火時にアクチュエータを推進する、ガス発生混合物を収容する、請求項１に記載のプリテンショナ。
【請求項５】  第２通路内にあり、第１通路の円周まで延びるが、第１通路の直径内にはない弾性円筒形ライナをさらに備える、請求項１に記載のプリテンショナ。
【請求項６】  ガス発生混合物を封入したガス発生器をさらに備える、請求項１に記載のプリテンショナ。
【請求項７】  シートベルトリトラクタのウェビングリールのウェビングリールシャフトと協働し、起動時に対応するシートベルト用ウェビングに予張力を加える、プリテンショナであって、
長方形の第２通路と体積交差する円筒形の第１通路を有するハウジングであって、前記通路が互いに直交して形成され、前記シャフトが、前記第１通路中に延びており、前記第２通路が、開放された第１端部と第２端部を有し、第２通路が第１通路の直径を横断かつ通過して延びている前記ハウジングと、
閉止された第１端部と開放された第２端部を有する弾性円筒形スリーブであって、スリーブの第２端部が第２円筒形通路の第１端部に固定され、かつ軸方向に整列された、前記弾性円筒形スリーブと、
前記ウェビングリールシャフトに固定され、かつ第１通路内に収容された円筒形ハブであって、前記ウェビングリールシャフトが前記ハブを貫通して軸方向に延びている、前記円筒形ハブと、
前記ハブと一体であって、前記ハブの回りに円周方向に間隔をあけて配置された、複数の突起と、
前記ハウジングに固定された第１端部と、前記第１端部から前記第２通路を横断して延びる平坦部分と、前記ハブのまわりの一部分に配設された第２の平坦部分と、プリテンショナの起動前にハブがストラップと無関係に回転できるように、前記第２平坦部分から自由に延びる第２端部とを備える、穿孔ストラップと、
前記円筒形スリーブ内に配置され、プリテンショナ起動時にストラップの平坦部分に作用するための、アクチュエータと、
点火可能であって、プリテンショナを起動させ、アクチュエータを前記第２通路中に放出するのに十分な力を発生する、ガス発生混合物と、
前記ガス発生混合物に点火するために前記円筒形スリーブ内に固定され、円筒形スリーブの第１端を閉止している、イニシエータとを備え、
イニシエータへの信号を受信すると、ガス発生混合物が点火されて、アクチュエータを前記円筒形スリーブと前記第２通路中に放出するのに十分な力が発生し、ストラップに張力を加えると共に、穿孔ストラップと複数の突起とを嵌合させて、この結果、略同時にハブ、ウェビングリールシャフト、ウェビングが回転前進することにより、リールを巻回し、シートベルトウェビングに張力を加える、前記プリテンショナ。
【請求項８】  シートベルトリトラクタのウェビングリールのウェビングリールシャフトと協働し、起動時に対応するシートベルト用ウェビングに予張力を加える、プリテンショナであって、
長方形の第２通路と体積交差する円筒形の第１通路を有するハウジングであって、前記通路が互いに直交して形成され、前記ウェビングリールシャフトが、前記第１通路中に延びており、前記第２通路が、第１の端部と第２の端部を有し、第２通路が第１通路の直径を横断かつ通過して延びている、前記ハウジングと、
前記ウェビングリールシャフトに固定され、かつ第１通路内に収容された円筒形ハブであって、前記ウェビングリールシャフトが前記ハブ中を貫通して軸方向に延びている、前記円筒形ハブと、
前記ハブと一体であって、かつ前記ハブの回りに円周方向に間隔をあけて配置された、複数の突起と、
前記ハウジングに固定された第１端部と、前記第１端部から前記第２通路を横断して延びる平坦部分と、前記ハブのまわりの一部分に配設された第２の平坦部分と、プリテンショナの起動前にはハブがストラップと無関係に回転できるように、前記第２平坦部分から自由に延びる第２端部とを備える、穿孔ストラップと、
前記第２通路の第１端部に位置し、プリテンショナ起動時に前記ストラップに予張力を加えるためのアクチュエータと、
プリテンショナを起動させて、アクチュエータを第２通路に放出する手段とを備え、
プリテンショナ起動時に、ストラップに張力が加わり、穿孔ストラップと複数の突起が噛み合い、この結果、略同時に、ハブ、ウェビングリールシャフト、およびウェビングリールが回転前進することによって、リールを巻回し、リール上にかかるシートベルトウェビングに張力を加える、前記プリテンショナ。
【請求項９】  シートベルトリトラクタのウェビングリールのウェビングリールシャフトと協働し、起動時に対応するシートベルト用ウェビングに予張力を加える、プリテンショナであって、
長方形の第２通路と体積交差する円筒形の第１通路を有するハウジングであって、前記通路が互いに直交して形成され、前記ウェビングリールシャフトが、前記第１通路を貫通して延びており、前記第２通路が、第１端部と第２端部を有し、第２通路が第１通路の直径を横断かつ通過して延びている、前記ハウジングと、
前記ウェビングリールシャフトに固定され、かつ第１通路内に収容された円筒形ハブであって、前記ウェビングリールシャフトが前記ハブを貫通して軸方向に延びている、前記円筒形ハブと、
前記ハブと一体であって、かつ前記ハブの回りに円周方向に間隔をあけて配置された、複数の突起と、
少なくとも複数の突起に対応する数の、複数の開口を備える穿孔ストラップであって、第１の端部がハウジングに固定され、前記第１端部から前記第２通路を横断して平坦部分が延びており、第２の平坦部分が前記ハブのまわりの一部分に配設され、プリテンショナの起動前に前記ストラップと無関係にハブが回転できるように、第２の端部が、前記第２平坦部から自由に延びており、プリテンショナ起動時に、前記複数の開口が、動作可能に前記複数の突起と係合する、前記穿孔ストラップと、
前記第２通路の第１端に位置し、プリテンショナ起動時に前記ストラップに予張力を加えるための、アクチュエータと、
点火時に前記アクチュエータを燃焼により作動させて、アクチュエータを第２通路中に放出するのに十分な力を発生する、ガス発生混合物と、
前記ハウジング内にあって、前記ガス発生混合物に点火するために、前記ガス発生混合物と点火可能に接続している、イニシエータとを備え、
ガス発生剤の点火時に、ストラップがハブの回りに引き締まり、複数の開口と複数の突起が嵌合し、その結果、略同時にハブ、ウェビングリールシャフト、およびウェビングリールが回転前進することにより、リールを巻回し、リール上にかかるシートベルトウェビングに張力を加える、前記プリテンショナ。
【請求項１０】  シートベルトリトラクタのウェビングリールのウェビングリールシャフトと協働し、対応するシートベルト用ウェビングに予張力を加えるための、プリテンショナであって、
円筒形の第１通路と長方形の第２通路を有するハウジングであって、前記ウェビングリールシャフトが、第１通路を通過して長手方向に延び、前記第２通路が第１端部と第２端部を有する、前記ハウジングと、
第１通路に収容されている円環状筒形ハブであって、前記ウェビングリールシャフトが前記ハブを貫通して軸方向に延びる、前記円環状筒形ハブと、
前記ハブと一体であって、かつ前記ハブの回りに円周方向に間隔をあけて配置された複数の突起と、
少なくとも複数の突起に対応する数の、複数の開口を備える穿孔ストラップであって、第１の端部がハウジングに固定され、前記第１端部から前記第２通路を横断して平坦部分が延びており、第２の平坦部分が前記ハブの円周の一部分に配設され、プリテンショナの起動前に前記ストラップと無関係にハブが回転できるように、第２の端部が、前記第２平坦部から自由に延びており、プリテンショナ起動時に、前記複数の開口が、作動可能に前記複数の突起と係合する、前記穿孔ストラップと、
前記第２通路の第１端部内に位置し、プリテンショナ起動時に前記ストラップに予張力を加えるためのアクチュエータと、
点火時に、前記アクチュエータを燃焼により作動させて、アクチュエータを前記第２通路中に放出するのに十分な力を発生する、ガス発生混合物と、
前記ガス発生混合物に点火するために、前記ガス発生混合物と点火可能に連通する、前記ハウジング内のイニシエータとを備え、
前記ガス発生混合物に点火時に、穿孔ストラップがアクチュエータの直線運動をハブの回転運動に変換することにより、前記ハブと回転連動してシートベルトに予張力を加える、前記プリテンショナ。
【請求項１１】  シートベルトリトラクタのウェビングリールのウェビングリールシャフトと協働し、対応するシートベルト用ウェビングに予張力を加えるための、プリテンショナであって、
円筒形の第１通路と長方形の第２通路を有するハウジングであって、前記ウェビングリールシャフトが、第１通路中に長手方向に延び、前記第２通路が第１端部と第２端部を有する、前記ハウジングと、
第１通路に収容された円環状筒形ハブであって、前記ウェビングリールシャフトが前記ハブを貫通して軸方向に延びる、前記円環状筒形ハブと、
前記ハブと一体であって、前記ハブの回りに円周方向に間隔をあけて配置された、複数の突起と、
少なくとも複数の突起に対応する数の、複数の開口を備える穿孔ストラップであって、第１の端部がハウジングに固定され、前記第１端部から前記第２通路を横断して平坦部分が延びており、第２の平坦部分が前記ハブの円周の一部分に配設され、プリテンショナの起動前に前記ストラップと無関係にハブが回転できるように、第２の端部が、前記第２平坦部から自由に延びており、プリテンショナ起動時に、前記複数の開口が、動作可能に前記複数の突起と係合する、前記穿孔ストラップと、
前記第２通路の第１端部に位置し、プリテンショナ起動時に前記ストラップに予張力を加えるためのアクチュエータと、
プリテンショナを起動させ、アクチュエータを第２通路中に放出するための手段とを備え、
プリテンショナの起動時に、穿孔ストラップがアクチュエータの直線運動をハブの回転運動に変換することにより、前記ハブと回転連動してシートベルトに予張力を加える、プリテンショナ。
【請求項１２】  シートベルトリトラクタのウェビングリールのウェビングリールシャフトと協働し、対応するシートベルト用ウェビングに予張力を加えるための、プリテンショナであって、
円筒形の第１通路と長方形の第２通路を有するハウジングであって、前記ウェビングリールシャフトが、第１通路を通過して長手方向に延び、前記第２通路が第１の端部と第２の端部を有する、前記ハウジングと、
第１通路に収容された円環状筒形ハブであって、前記ウェビングリールシャフトが前記ハブを貫通して軸方向に延びる、前記円環状筒形ハブと、
前記ハブと一体であって、かつ前記ハブの回りに円周方向に間隔をあけて配置された複数の突起と、
少なくとも複数の突起に対応する数の、複数の開口を備える穿孔ストラップであって、第１の端部がハウジングに固定され、前記第1端部から前記第２通路を横断して平坦部分が延びており、第２の平坦部分が前記ハブの円周の一部分に配設され、プリテンショナの起動前に前記ストラップと無関係にハブが回転できるように、第２の端部が、前記第２平坦部から自由に延びており、プリテンショナ起動時に、前記複数の開口が、動作可能に前記複数の突起と係合する、前記穿孔ストラップと、
前記第２通路の第１端部に配置され、プリテンショナ起動時に前記ストラップに張力をかけるために、前記第１平坦ストラップ部分に対してバイアス力がかけられた、アクチュエータと、
プリテンショナを起動させ、アクチュエータを第２通路中に放出するための手段とを備え、
プリテンショナの起動時に、穿孔ストラップがアクチュエータの直線運動をハブの回転運動に変換することにより、ハブと回転連動してシートベルトに予張力を加える、前記プリテンショナ。
【請求項１３】  請求項１〜１２のいずれかに記載のプリテンショナを備えた安全ベルトシステム。